(57)【特許請求の範囲】
【請求項１】
機裏側に装備された機構セット盤(G)における球貯留排出経路部(14)内に、貸球用の貯留球を通出案内する第１球送出路(24a)および賞球用の貯留球を通出案内する第２球送出路(24b)が画成され、前記球貯留排出経路部(14)の下部に、前記第１球送出路(24a)に整合する貸球払出し用の第１球払出装置(L1)と、前記第２球送出路(24b)に整合する賞球払出し用の第２球払出装置(L2)とを設置したパチンコ遊技機において、
前記第１球払出装置(L1)および第２球払出装置(L2)は、同一の外郭形状に形成されて球払出し機構部(36)を組み込んだ矩形箱体状のケース体(35)内に球通路(42)を画成すると共に、該ケース体(35)の上壁面(35a)に前記球通路(42)に整合する球流入口(44)を開口形成し、かつ該ケース体(35)の下壁面(35b)に球流出口(45)を開口形成してケース体単位で構成され、
前記夫々の球払出装置(L1,L2)のケース体(35)における後壁面(35d)には、３つの隅角部にビス(53)の挿通を許容する挿通口(55)を設けた円筒ボス(56)が突出形成されると共に、残り１つの隅角部に通口を有さない円形ボス(57)が突出形成され、
前記夫々の球払出装置(L1,L2)のケース体(35)における前壁面(35c)には、両球払出装置(L1,L2)の前記上壁面(35a)を上方へ向けた姿勢で、前記円筒ボス(56)が整合する３つの隅角部に、前記円筒ボス(56)が整合して挿通口(55)が開口する第１凹部(58)が形成されると共に、残り１つの隅角部に、前記円形ボス(57)が整合する第２凹部(59)が形成され、
前記第１球払出装置(L1)および第２球払出装置(L2)における一方のケース体(35)の後壁面(35d)に設けた前記円筒ボス(56)と他方のケース体(35)の前壁面(35c)に設けた前記第１凹部(58)とを全て整合させて、該後壁面(35d)と前壁面(35c)とが密着した場合には、夫々の球払出装置(L1,L2)における各挿通口(55,55)が整合して、前記ビス(53)の共通的な挿通を許容し、
前記第１球払出装置(L1)および第２球払出装置(L2)における一方のケース体(35)の後壁面(35d)に設けた前記円筒ボス(56)と他方のケース体(35)の前壁面(35c)に設けた対応の前記第１凹部(58)とが少なくとも１組整合しない場合には、夫々の球払出装置(L1,L2)における挿通口(55,55)が整合せず、前記ビス(53)の共通的な挿通を規制し、
前記第１球払出装置(L1)および前記第２球払出装置(L2)における一方のケース体(35)の後壁面(35d)に設けた前記円筒ボス(56)および円形ボス(57)の全てを、他方のケース体(35)の前壁面(35c)に設けた対応の前記第１凹部(58)および第２凹部(59)に整合させて、該後壁面(35d)と前壁面(35c)とを密着させた状態で、両球払出装置(L1,L2)を前記機構セット盤(G)に設けた設置部(33)に組付けることにより、第１球払出装置(L1)の前記球流入口(44)が前記第１球送出路(24a)の球送出口(28a)に整合すると共に、前記第２球払出装置(L2)の前記球流入口(44)が前記第２球送出路(24b)の球送出口(28b)に整合するよう構成した
ことを特徴とするパチンコ遊技機。
【請求項２】
前記機構セット盤(G)の前記設置部(33)には、前記各円筒ボス(56)が整合して前記ビス(53)が螺合するネジ孔(60)を有する第１嵌合凹部(33a)が形成されると共に、前記円形ボス(57)が整合してネジ孔(60)を有さない第２嵌合凹部(33b)が形成され、
一方のケース体(35)の後壁面(35d)に設けた前記円筒ボス(56)と他方のケース体(35)の前壁面(35c)に設けた前記第１凹部(58)とを全て整合させて、該後壁面(35d)と前壁面(35c)とを密着した前記第１球払出装置(L1)および前記第２球払出装置(L2)を、該円筒ボス(56)の全てがネジ孔(60)を有する第１嵌合凹部(33a)に整合した状態で前記設置部(33)に設置した場合には、前記各ビス(53)のネジ孔(60)への螺合が許容され、
一方のケース体(35)の後壁面(35d)に設けた前記円筒ボス(56)と他方のケース体(35)の前壁面(35c)に設けた前記第１凹部(58)とを全て整合させて、該後壁面(35d)と前壁面(35c)とを密着した前記第１球払出装置(L1)および前記第２球払出装置(L2)を、各円筒ボス(56)の何れかがネジ孔(60)を有しない第２嵌合凹部(33b)に整合した状態で前記設置部(33)に設置した場合には、前記各ビス(53)のネジ孔(60)への螺合が規制されるよう構成した請求項１記載のパチンコ遊技機。
【請求項３】
前記第１球払出装置(L1)および第２球払出装置(L2)は、電磁ソレノイド(49)の励磁に伴い前記球流出口(45)からの遊技球の流出を許容し、電磁ソレノイド(49)の消磁に伴い球流出口(45)からの遊技球の流出を規制するよう構成される請求項１または２記載のパチンコ遊技機。
【請求項４】
前記球貯留排出経路部(14)は、上流側に位置する第１球送出路部材(25)と、下流側に位置する第２球送出路部材(26)とから構成された球送出部(24)が設けられて、該第１球送出路部材(25)内から第２球送出路部材(26)内に亘り、前記第１球送出路(24a)および第２球送出路(24b)が前後方向へ並列的に画成され、
前記第２球送出路部材(26)は、第１および第２球送出路(24a,24b)の途中から球排出路(29)に整合連通する球抜路(30)が分岐するよう形成されると共に、前記第１球送出路(24a)の球送出口(28a)および第２球送出路(24b)の球送出口(28b)に臨む貯留球通出規制部材(31)が設置され、これら球送出路(24a,24b)と球抜路(30)との分岐点に貯留球通出切換部材(32)が設置され、
前記機構セット盤(G)における前記第２球送出路部材(26)を組付ける部位には、該第２球送出路部材(26)の上壁面および左右壁面を囲繞して位置規制する取付案内壁部が形成されている請求項１〜３の何れか一項に記載のパチンコ遊技機。
【発明の詳細な説明】
【０００１】
【発明の属する技術分野】
この発明は、パチンコ遊技機に関し、更に詳細には、機裏側に装備された機構セット盤における球貯留排出経路部内に、貸球用の貯留球を通出案内する第１球送出路および賞球用の貯留球を通出案内する第２球送出路を画成し、前記球貯留排出経路部の下部に、前記第１球送出路に整合する貸球払出し用の第１球払出装置および前記第２球送出路に整合する賞球払出し用の第２球払出装置を設置したパチンコ遊技機に関するものである。
【０００２】
【従来の技術】
パチンコ機やアレンジボール機に代表されるこの種のパチンコ遊技機は、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対し、機裏側の機構セット盤に形成配置した球容器や整流路および球送出路等から構成される球貯留排出経路部内に貯留されたパチンコ球(貯留球)を、前記球送出路の球送出口の下方に配設した球払出装置の作動制御のもとに、所定数の賞球として機前側の上球皿または下球皿側へ給出するようになっている。一方、貸球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して、所定数の貯留球を貸球として上球皿側へ給出するようになっている。
【０００３】
すなわち前記カード式パチンコ遊技機では、遊技盤内で展開されるパチンコゲームで成立した入賞(例えばセーフ球の発生、図柄組合わせ成立)に対して所定数(１〜１５個)の賞球を払出し得る一方、ゲームに使用すべき貸球を球貸し金額に対して設定数毎(例えば１００円に対して２５個)に払出し得るようになっている。そして当初、このようなカード式パチンコ遊技機に実施(装備)されている球払出しの技術・手段については、電子・電気的制御形態の１基の球払出装置が採用され、この球払出装置の作動制御区分(球払出し制御区分に基づいた貸球払出しと賞球払出し)により、貸球と賞球とを区分して払出すようになっていた。
【０００４】
しかしながら、貸球払出しと賞球払出しとを１基の球払出装置で兼用することは、▲１▼貸球払出しと賞球払出しとを同時に実行し得ない、▲２▼貸球数と賞球数とを正確に把握し得ない、等の課題を内在していた。従って近年に至っては、１つの収容ケース内に貸球払出機構部と賞球払出機構部とを内蔵した球払出装置が開発され、このようなタイプの球払出装置を装着したカード式パチンコ遊技機が主流となっている。このようなカード式パチンコ遊技機では、貸球払出しと賞球払出しを同時に実行し得ると共に、貸球数と賞球数の正確な把握が可能となっている。
【０００５】
【発明が解決しようとする課題】
ところで、貸球払出機構部と賞球払出機構部とを内蔵した前記球払出装置では、払出機構部を構成する主要部品数が単純に２倍となるので、１つの払出機構部を内蔵した球払出装置と比較して、その製造コスト(価格)も略２倍程度となってしまう。ところが、例えば賞球払出機構部に故障が発生した場合、故障していない貸球払出機構部を含めた該球払出装置全体を、同一規格の新品の球払出装置と交換しなければならず、保守・管理費用が嵩む問題を内在していた。
【０００６】
このような問題から、賞球払出し専用の球払出装置(第１球払出装置)と、これとは別に貸球払出し専用の球払出装置(第２球払出装置)を準備し、前記球貯留排出経路部の球送出路の下方に設けた設置部に２基の球払出装置を上下に分離させて装着するようにした組付構造も提案されている。このような組付構造では、例えば第１球払出装置に故障が発生した場合、第２球払出装置はそのままに第１球払出装置のみを新品と交換すればよく、保守・管理費用を最低限に抑えることができる。しかしながら、球貯留排出経路部の下方に２基の球払出装置を適宜離間させかつ上下平面状に設置するようになっており、かなり広い設置スペースを確保する必要があるため、上球皿に至る球払出経路部の設計やその他各種装置の設置等に大きな制約が起こっていた。
【０００７】
また前述の組付構造では、夫々の球払出装置が互いに離間して非接触状態で設置されているから、例えば第１球払出装置に球詰まりが発生した場合、第２球払出装置が作動してもその振動が第１球払出装置へ伝わることがないから、該第１球払出装置の球詰まりが解消することがなかった。更に、例えば第１球払出装置が故障して、故障した該球払出装置を取外して新しい球払出装置を設置部に組付ける場合に、その組付け状態(向き)が正確か否かを把握する対策が施されていなかったため、間違った向きに球払出装置を組付けてもそれを即座に把握して確認することができなかった。
【０００８】
【発明の目的】
本発明は、前述した従来の技術に内在している前記課題に鑑み、これを好適に解決するべく提案されたものであって、貸球用の球払出装置および賞球用の球払出装置におけるケース体の外郭形状を同一とし、夫々の球払出装置を相互密着した状態で機構セット盤に装着するよう構成することで、両装置の球詰まりを好適に解消する一方、設置スペースの縮小化および正確な組付けを図り得るようにしたパチンコ遊技機を提供することを目的とする。
【０００９】
【課題を解決するための手段】
前述した課題を克服し、所期の目的を好適に達成するため本発明は、機裏側に装備された機構セット盤における球貯留排出経路部内に、貸球用の貯留球を通出案内する第１球送出路および賞球用の貯留球を通出案内する第２球送出路が画成され、前記球貯留排出経路部の下部に、前記第１球送出路に整合する貸球払出し用の第１球払出装置と、前記第２球送出路に整合する賞球払出し用の第２球払出装置とを設置したパチンコ遊技機において、
前記第１球払出装置および第２球払出装置は、同一の外郭形状に形成されて球払出し機構部を組み込んだ矩形箱体状のケース体内に球通路を画成すると共に、該ケース体の上壁面に前記球通路に整合する球流入口を開口形成し、かつ該ケース体の下壁面に球流出口を開口形成してケース体単位で構成され、
前記夫々の球払出装置のケース体における後壁面には、３つの隅角部にビスの挿通を許容する挿通口を設けた円筒ボスが突出形成されると共に、残り１つの隅角部に通口を有さない円形ボスが突出形成され、
前記夫々の球払出装置のケース体における前壁面には、両球払出装置の前記上壁面を上方へ向けた姿勢で、前記円筒ボスが整合する３つの隅角部に、前記円筒ボスが整合して挿通口が開口する第１凹部が形成されると共に、残り１つの隅角部に、前記円形ボスが整合する第２凹部が形成され、
前記第１球払出装置および第２球払出装置における一方のケース体の後壁面に設けた前記円筒ボスと他方のケース体の前壁面に設けた前記第１凹部とを全て整合させて、該後壁面と前壁面とが密着した場合には、夫々の球払出装置における各挿通口が整合して、前記ビスの共通的な挿通を許容し、
前記第１球払出装置および第２球払出装置における一方のケース体の後壁面に設けた前記円筒ボスと他方のケース体の前壁面に設けた対応の前記第１凹部とが少なくとも１組整合しない場合には、夫々の球払出装置における挿通口が整合せず、前記ビスの共通的な挿通を規制し、
前記第１球払出装置および前記第２球払出装置における一方のケース体の後壁面に設けた前記円筒ボスおよび円形ボスの全てを、他方のケース体の前壁面に設けた対応の前記第１凹部および第２凹部に整合させて、該後壁面と前壁面とを密着させた状態で、両球払出装置を前記機構セット盤に設けた設置部に組付けることにより、第１球払出装置の前記球流入口が前記第１球送出路の球送出口に整合すると共に、前記第２球払出装置の前記球流入口が前記第２球送出路の球送出口に整合するよう構成したことを特徴とする。
【００１０】
【作用】
ケース体の外郭形状を同一に構成した貸球払出し用の第１球払出装置および賞球払出し用の第２球払出装置を、夫々のケース体における前壁面および後壁面同士を全面的に相互に密着した状態で機構セット盤の設置部に組付けるようにしたので、一方の球払出装置の作動時の振動が他方の球払出装置に伝わり、相互の球払出装置に発生する球詰まりが好適に解消され得る。殊に、第１球払出装置と第２球払出装置とを、夫々のケース体の外壁面同士が全面的に相互に密着した状態で組付けた場合には、前述した球詰まり解消効果の他に、機構セット盤に対する設置スペースの大幅な縮小化を図り得る。なお第１球払出装置と第２球払出装置とは、前後方向の縦列状態で機構セット盤に組付けたり、左右方向の並列状態で該機構セット盤に組付けるようにすれば、略１基の球払出装置の設置スペースで２基の球払出装置の装着が可能となり、球払出経路部の設計やその他各種装置の設置等に係る設計の自由度が高められる。
一方、第１球払出装置の各凹部に第２球払出装置の円筒ボスおよび円形ボスを正しく整合させるだけで、両球払出装置を同一向きで前後に正確に組付け得る。更に、夫々の球払出装置を同一向きで正確に相互に密着させた場合は、夫々のケース体の円筒ボスに設けた各挿通口が整列するので、両球払出装置を設置部に組付けるためのビスの共通的な挿通が許容される。但し、夫々の球払出装置が同一向きで前後に相互に密着されていない場合は、前記各挿通口が非整列となって前記ビスの共通的な挿通が不可能となるから、両装置の組付けが正確か否かが即座に確認し得る。
【００１１】
【発明の実施の形態】
次に、本発明に係るパチンコ遊技機につき、好適な実施例を挙げ、添付図面を参照しながら以下詳細に説明する。なお本実施例では、貸球用のカードおよびカードユニットを利用して貯留球を貸出し得るカード式パチンコ機を例とし、後述する機構セット盤における球貯留排出経路部の下流側に、ユニット化された球払出装置が設置された形式を主に示す。
【００１２】
(パチンコ機)
そこで、先ず本実施例に係る球払出装置の組付構造が実施されるパチンコ機について、図１０および図１１を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分には、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤Ｇ等が装備され、更に該前枠Ｂの後側に設けた保持枠１０の正面内部に、所要の遊技領域Ｊａを構成した遊技盤Ｊが着脱交換可能にセットされる。一方、貸球の払出し制御に必要とされる球貸しユニット(カバー式)Ｋが、パチンコ機Ｐの側方(外枠Ａの隣接部位)に設置されて各電子制御部と接続されている。
【００１３】
(機構セット盤)
前記機構セット盤Ｇは、前枠Ｂ裏側に位置する前記遊技盤Ｊセット用の保持枠１０の裏側に着脱可能に装備され、該保持枠１０に対応し得る方形サイズに樹脂成形された本体１１の中央部に遊技盤裏面の点検用の窓口１２が開口され、これに裏カバー部材１３が開閉および着脱可能に取着されており、この窓口１２の上部から右側部に亘る外周囲部に球貯留排出経路部１４等が配設されている。そして、この球貯留排出経路部１４の下側に、カセット形態とされる電動制御式の球払出装置Ｌ1,Ｌ2が設置される一方、これら球払出装置Ｌ1,Ｌ2の下方に該装置Ｌ1,Ｌ2から払出された貸球および賞球を前記上球皿Ｅまたは下球皿Ｆへ排出する球排出経路(図示せず)が形成されており、前記球貯留排出経路部１４に貯留された所定数のパチンコ球(貯留球)が、球払出装置Ｌ1,Ｌ2の作動により貸球または賞球として払出されるようになっている。
【００１４】
なお、機構セット盤Ｇのその他の構成として、前記窓口１２の下方に、アウト球およびセーフ球を機外へ排出する球通出経路が形成される他に、球抜き装置,セーフ球検出処理装置,賞球満杯検出装置および貸球用の検出スイッチ(何れも図示せず)等が夫々設置され、そして本体１１の上方隅端部にターミナル基盤(集中基盤ともいう)１５が設置されている。また前記窓口１２の下方背面には、パチンコ機Ｐを全体的に制御するメイン基板を収容した主制御装置１６や、前記打球発射装置Ｈを制御する発射制御基板を収容した発射制御装置１７、前記球払出装置Ｌ1,Ｌ2を制御する払出制御基板を収容した払出制御装置１８、前記遊技盤Ｊでのパチンコゲームに応じた効果音を発生制御する音制御基板を収容した音制御装置１９、球貸しユニットＫと接続して各種データの入力および出力を行なうためのコネクタを備えたインターフェース２０等が所要位置に設置固定される一方、前記裏カバー部材１３の背面に電源基板２１が設置固定されている。
【００１５】
(球貯留排出経路部)
前記球貯留排出経路部１４は、機構セット盤Ｇの上部に上方開口状態で設置される球容器(「球タンク」とも云う)２２と、この球容器２２底面の下流端に開口された球出口に合わせた下部に取着される斜状レール形の整流路部２３と、左右蛇行状に形成されて前記整流路部２３の下流端に連絡するように取着される球送出路部２４とから構成され、相当量(例えば５００個程度)のパチンコ球を貯留球として一時的に貯留し得るようになっている。そして実施例のパチンコ機Ｐでは、前記球送出路部２４が、図３に示す如く、上側の第１球送出路部材２５と下側の第２球送出路部材２６とに２分割され、夫々が別々に機構セット盤Ｇに装着されるようになっている。
【００１６】
なお実施例の整流路部２３は、図３に示すように、幅方向中央部で上方へ突出しかつ長手方向へ延在する仕切板２７により、貯留球を２列整列状態で球送出路部２４へ送出案内する第１整流路２３ａおよび第２整流路２３ｂとを並設した「４条タイプ」が例とされ、例えば第１整流路２３ａを貸球用、第２整流路２３ｂを賞球用として実施に供される。また前記球送出路部２４は、図３,図５および図６に示す如く、貯留球を１列整列状態で通出案内する「２条タイプ」として、前記第１球送出路部材２５内から第２球送出路部材２６内に亘り、第１球送出路２４ａおよび第２球送出路２４ｂがパチンコ機Ｐの前後方向へ並列的に画成され、この第１球送出路２４ａが前記第１整流路２３ａに整合連通すると共に第２球送出路２４ｂが前記第２整流路２３ｂに整合連通している。すなわち、第１整流路２３ａおよび第２整流路２３ｂを夫々流下した貯留球は、その出口部で２列から１列に整列されながら対応の第１球送出路２４ａおよび第２球送出路２４ｂ内へ流入する。なお、前記第１球送出路２４ａおよび第２球送出路２４ｂは左右蛇行状に形成されており、また両球送出路２４ａ,２４ｂの途中から球抜路３０が画成されて、球排出路２９に整合連通している。
【００１７】
また前記第２球送出路部材２６には、前記第１球送出路２４ａの球送出口２８ａおよび第２球送出路２４ｂの球送出口２８ｂに臨む貯留球通出規制部材３１や、これら球送出路２４ａ,２４ｂと前記球抜路３０との分岐点に貯留球通出切換部材３２等が設置されるようになっている。このうち貯留球通出規制部材３１は、第１球送出路２４ａ内の貸球としての貯留球の球送出口２８ａからの通出と、第２球送出路２４ｂ内の賞球としての貯留球の球送出口２８ｂからの通出とを、同時に規制するためのものである。また前記貯留球通出切換部材３２は、第１球送出路２４ａおよび第２球送出路２４ｂ内の貯留球を、常には各球払出装置Ｌ1,Ｌ2側へ通出案内すると共に、これら貯留球を機外へ排出する際に使用するものである。
【００１８】
(球払出装置)
本実施例のパチンコ機Ｐでは、前記第１球送出路２４ａの球送出口２８ａに整合して貸球の払出しに供される第１球払出装置Ｌ1と、前記第２球送出路２４ｂの球送出口２８ｂに整合して賞球の払出しに供される第２球払出装置Ｌ2とを具備している。これら第１球払出装置Ｌ1および第２球払出装置Ｌ2は、前記第１球送出路２４ａの球送出口２８ａおよび前記第２球送出路２４ｂの球送出口２８ｂがパチンコ機Ｐの前後方向へ並列的に開口形成されている前提のもとで、前後組付形態として、第１球払出装置Ｌ1の前方壁面および第２球払出装置Ｌ2の後方壁面を相互に密着させた前後方向の縦列状態で、前記機構セット盤Ｇに設けた設置部３３に組付けるようになっている(図１および図３)。
【００１９】
これら第１球払出装置Ｌ1および第２球払出装置Ｌ2は全く同一タイプとされ、前記払出制御装置１８からの出力信号により制御作動されるもとで、同制御装置１８から貸球払出し指令信号は前記第１球払出装置Ｌ1へ出力され、賞球払出し指令信号は前記第２球払出装置Ｌ2へ出力され、これらの各信号に応じて遊技用の貸球と入賞成立に対する賞球とを区分払出し得る。このような第１球払出装置Ｌ1および第２球払出装置Ｌ2は、その基本的な構成として図２に示す如く、矩形箱体状に形成された合成樹脂製のケース体３５内に、電動式の球払出し機構部３６および中継基板３７を収容して構成され、前記ケース体３５単位のユニット体として取扱い得るようになっている。
【００２０】
(ケース体)
前記ケース体３５は、前記設置部３３に密着的に整合し得るベース部材３８と、このベース部材３８の開口部に整合密着するカバー部材３９とから構成され、カバー部材３９の外側からベース部材３８に向けてビス４０をねじ込むことで両部材３８,３９が組付けられて矩形箱体状を呈するようになっている。そして前記ケース体３５の内部は、図示左側に横断面コ字形をなす合成樹脂製の樋部材４１が設置されて球通路４２が画成され、この樋部材４１の右側部分に球払出し機構部３６を収容するための収容室４３が画成されている。また前記ベース部材３８の上面には、前記球通路４２の上端に整合する球流入口４４が開口形成されると共に、該部材３８の下面には、該球通路４２の下端に整合する球流出口４５が開口形成されている。更に前記樋部材４１の壁部には、球払出し機構部３６の球送り体４６が球通路４２内へ臨ませるための通口４１ａが形成されている。
【００２１】
(球払出し機構部)
前記球払出し機構部３６は、前記ベース部材３８に立設されて前記通口４１ａに隣接した位置に臨む支軸４７に対して回転自在に支持された爪車状の前記球送り体４６と、この球送り体４６の回転・停止規制をなす規制部材４８の切換作動源である電磁ソレノイド４９と、球通路４２内の貯留球の有無を検出する上センサ５０ａおよび下センサ５０ｂとからなる貯留球用センサ５０とを備えている。前記球送り体４６は、ポリアセタール等の比較的硬質の合成樹脂からなり、外周に形成した複数(実施例では６箇所)の区画爪部４６ａにより区画された各球受け部４６ｂを前記樋部材４１の通口４１ａから球通路４２内へ臨ませ、この球受け部４６ｂにより球通路４２内を流下する貯留球を１個ずつ球圧を受けながら回転して排出し得るようになっている。また前記電磁ソレノイド４９は、例としてフラッパータイプのもので、払出制御装置１８からの払出し信号に基づき作動制御されて、励磁信号に伴い磁力発生部４９ａで磁力を発生し得る一方、そのフレーム枠４９ｂには前記規制部材４８が傾動可能に支持されている。
【００２２】
前記規制部材４８は、金属製レバー状のものが例とされ、電源投入時の作動状態において、常には付勢手段としての引張バネ５１により球送り体４６の区画爪部４６ａと係止する方向へ付勢保持されて、該球送り体４６の回転停止を図るようになっている。一方、前記電磁ソレノイド４９の通電による励磁作動に伴い磁力発生部４９ｂに磁力が発生し、その磁力により前記引張バネ５１の付勢力に抗して規制部材４８が区画爪部４６ａから離間して球送り体４６の回転を許容するようになっている。また前記貯留球用センサ５０は、前記中継基板３７の一端近傍に配設され、上下各センサ５０ａ,５０ｂは互いに１球分に適した検出間隔で配置されて前記球通路４２内へ臨み、上センサ５０ａにより払出し可能な貯留球の有無を検出する一方、下センサ５０ｂにより払出された貯留球の有無を検出(カウント検出)するようになっている。このような貯留球用センサ５０は、排出された貯留球を下センサ５０ｂにより１球ずつ検出する毎に、当該検出信号を中継基板３７を介して前記払出制御装置１８の払出制御基板へ出力するようになっている。なお前記中継基板３７は、前記ビス４０の挿通を許容する挿通口３７ａが開設されると共に、ケース体３５の外側へ臨むコネクタ端子５２がその下端部に設けられている。
【００２３】
(球払出装置の組付構造)
次に、前述のように構成された球払出装置の組付構造につき説明する。実施例の第１球払出装置Ｌ1および第２球払出装置Ｌ2は、図１および図３に示す如く、第１球払出装置Ｌ1のケース体３５における前壁面(外壁面)３５ｃおよび第２球払出装置Ｌ2のケース体３５における後壁面(外壁面)３５ｄを相互に密着させた前後方向の縦列状態に組付け、このもとで前記機構セット盤Ｇの設置部３３に対して３本の組付部材としてのビス５３を利用して共通的に組付けられるようになっている。すなわち第１球払出装置Ｌ1および第２球払出装置Ｌ2は、前記球流入口４４が形成されたケース体３５の上壁面(外壁面)３５ａおよび球流出口４５が形成された該ケース体３５の下壁面(外壁面)３５ｂを互いに密着させず、一方のケース体３５の球流入口４４および球流出口４５に他方のケース体３５が干渉しない状態で、前壁面３５ｃおよび後壁面３５ｄを全面的に相互に密着させながら互いに組付けられるようになっている。
【００２４】
これを前提とした第１球払出装置Ｌ1および第２球払出装置Ｌ2では、図１に示す如く、前記ケース体３５におけるベース部材３８の側面における４つの隅角部のうちの３つの隅角部に、機構セット盤Ｇの設置部３３に組付けるための前記ビス５３の干渉を回避する凹部５４が形成されている。また、ベース部材３８の背面における３つの各隅角部、すなわち前記凹部５４を形成した隅角部に対応した部位には、前記ビス５３の挿通を許容する挿通口５５を設けた円筒ボス(第１位置規制部)５６が突出形成され、残り１つの隅角部近傍には通口を有さない円形ボス(第１位置規制部)５７が突出形成されている。一方、カバー部材３９の側面における３つの隅角部、すなわち前記ベース部材３８の各凹部５４が形成された隅角部に対応する隅角部には、該凹部５４に連設的に整合する凹部(第２位置規制部)５８が形成され、残りの隅角部には所要長の凹部(第２位置規制部)５９が形成されている。換言すると、夫々の球払出装置Ｌ1,Ｌ2のケース体３５は、相互に密着される一方の後壁面３５ｄの所要位置に第１位置規制部としての円筒ボス５６および円形ボス５７が設けられ、他方の前壁面３５ｃの所要位置に前記円筒ボス５６および円形ボス５７が整合可能な凹部５８,５９を備えている。
【００２５】
これにより実施例では、前記第１球払出装置Ｌ1におけるケース体３５(カバー部材３９)の各凹部５８,５９に対し、前記第２球払出装置Ｌ2におけるケース体３５(ベース部材３８)の各ボス５６,５７を対応的に正しく整合させることで、両球払出装置Ｌ1,Ｌ2を前後方向の縦列状態で同一向きに相互に密着した前後重ね状態で整合させ得るようになっている。そして、前記第２球払出装置Ｌ2に対して前記第１球払出装置Ｌ1を同一向きで整合させた際には、該第１球払出装置Ｌ1における３つの各挿通口５５と第２第球払出装置Ｌ2における３つの各挿通口５５とが夫々直列に整合するようになり、前記３本のビス５３の共通的な挿通が許容されるようになる。しかしながら、第１球払出装置Ｌ1と第２球払出装置Ｌ2との向きが同一ではない場合(例えば１８０度ずれている場合)は、３つの挿通口５５のうちの１組が整合しなくなるために、この挿通口５５でのビス５３の挿通が規制され、設置向きの不適切な状態をすぐに認識し得るようになっている。
【００２６】
なお、前記機構セット盤Ｇの前記設置部３３には、図４および図５に示す如く、第１球払出装置Ｌ1の前記各円筒ボス５６および円形ボス５７に対応した嵌合凹部３３ａ,３３ｂが形成されている。また夫々の嵌合凹部３３ａには、前記ビス５３が螺合するネジ孔６０が形成されている。
【００２７】
【実施例の作用】
次に、前述のように構成された本実施例に係るパチンコ遊技機の作用につき説明する。
【００２８】
実施例の各球払出装置Ｌ1,Ｌ2は、矩形箱状に形成された合成樹脂製のベース部材３８に樋部材４１をセットする一方、前記収容室４３内に球払出し機構部３６をセットすると共に中継基板３７をセットしたもとで、該ベース部材３８に前記カバー部材３９を被覆してビス４０をねじ込むことにより、前記ケース体３５単位のユニット体として取扱われる。
【００２９】
(機構セット盤への組付け)
前述のようにケース体３５単位で取扱われる各球払出装置Ｌ1,Ｌ2は、図３に示す如く、球貯留排出経路部１４を予め組付けた前記機構セット盤Ｇの設置部３３に対し、先ず第１球払出装置Ｌ1をセットし、次いでこの第１球払出装置Ｌ1に対して前記第２球払出装置Ｌ2を位置決めセットした後、前記３本のビス５３を利用して該機構セット盤Ｇに一括して組付ける。すなわち第１球払出装置Ｌ1は、前記円筒ボス５６および円形ボス５７を、前記設置部３３の各嵌合凹部３３ａ,３３ｂに整合させてセットして該設置部３３に仮組付けし、第２球払出装置Ｌ2は、前記円筒ボス５６および円形ボス５７を、前記第１球払出装置Ｌ1の夫々凹部５８,５９に整合させてセットして該第１球払出装置Ｌ1に仮組付けし、次いで前後２段に積み重ねた各球払出装置Ｌ1,Ｌ2の直列に整合した３組の各挿通口５５に３本のビス５３を夫々挿通させ、夫々のビス５３を前記ネジ孔６０にねじ込んで両球払出装置Ｌ1,Ｌ2を同時に組付ける。このとき第１球払出装置Ｌ1の球流入口４４が、前記球送出路部２４における第１球送出路２４ａの球送出口２８ａに整合し、該第１球送出路２４ａと球通路４２が整合連通する。一方、第２球払出装置Ｌ2の球流入口４４が、前記球送出路部２４における第２球送出路２４ｂの球送出口２８ｂに整合し、該第２球送出路２４ｂと球通路４２が整合連通する。
【００３０】
(パチンコ球の供給)
前記パチンコ機Ｐを、遊技ホール内の設置枠台(通称「島」)に縦向きの姿勢で設置した後、機外の球補給設備から球貯留排出経路部１４における前記球容器２２内へパチンコ球を供給すると、パチンコ球は球容器２２から整流路部２３の第１整流路２３ａまたは第２整流路２３ｂへ流入する。そして第１整流路２３ａへ流入したパチンコ球は、球送出路部２４の第１球送出路２４ａ内へ流入し、第１球払出装置Ｌ1へ到来して貸球用の貯留球として順次貯留され、第２整流路２３ｂへ流入したパチンコ球は、球送出路部２４の第２球送出路２４ｂ内へ流入し、第２球払出装置Ｌ2へ到来して賞球用の貯留球として順次貯留される。
【００３１】
(貸球の払出し)
そして貯留球が正常に貯留された状態において、当該パチンコ機Ｐでのパチンコ遊技に先立ち、遊技者が前記貸球用のカードおよび球貸しユニットＫを利用して適正な球貸し操作をした場合には、この操作に応答して前記第１球払出装置Ｌ1が作動制御されることにより、第１球送出路２４ａおよび第１整流路２３ａ内の所定数の貯留球が貸球として前記上球皿Ｅ側へ給出される。このとき、第１球払出装置Ｌ1および第２球払出装置Ｌ2の夫々のケース体３５,３５が相互密着しているので、該第１球払出装置Ｌ1の作動時の振動が前記第２球払出装置Ｌ2へ伝わる。
【００３２】
(賞球の払出し)
一方、前記貸球を遊技球として前記遊技盤Ｊ内でパチンコゲームが展開されている途中で入賞球が発生した場合には、これに応答して前記第２球払出装置Ｌ2が作動制御されることにより、第２球送出路２４ｂおよび第２整流路２３ｂ内の所定数の貯留球が賞球として前記上球皿Ｅ側へ給出される。このとき、第１球払出装置Ｌ1および第２球払出装置Ｌ2の夫々のケース体３５,３５が相互に密着しているので、該第２球払出装置Ｌ2の作動時の振動が前記第１球払出装置Ｌ1へ伝わる。
【００３３】
(各球払出装置の交換)
前記パチンコ機Ｐがパチンコゲームに供されている際に、例えば比較的頻繁に作動する前記第２球払出装置Ｌ2が故障した場合には、前記３本のビス５３を弛めて取外したもとで、前記第１球払出装置Ｌ1はそのままで当該第２球払出装置Ｌ2のみを取外し、同タイプの新品の球払出装置を第２球払出装置Ｌ2として装着する。すなわち、新品の第２球払出装置Ｌ2を前記第１球払出装置Ｌ1に位置決めセットし、前述したと同様に前記３本のビス５３をネジ孔６０へねじ込むことで、既存の第１球払出装置Ｌ1と新品の第２球払出装置Ｌ2とを一括して同時に組付けることができる。
【００３４】
また、前記第１球払出装置Ｌ1が故障した場合には、前記３本のビス５３を弛めて取外したもとで、該第１球払出装置Ｌ1および第２球払出装置Ｌ2を一括して設置部３３から取外し、同タイプの新品の球払出装置を第１球払出装置Ｌ1として装着する。すなわち前記機構セット盤Ｇの設置部３３に対し、先ず新品の第１球払出装置Ｌ1をセットし、次いでこの第１球払出装置Ｌ1に対して既存の前記第２球払出装置Ｌ2を位置決めセットした後、前述したと同様に前記３本のビス５３をネジ孔６０へねじ込むことで、新品の第１球払出装置Ｌ1と既存の第２球払出装置Ｌ2とを一括して同時に組付けることができる。
【００３５】
このように実施例に係る球払出装置の組付構造では、前後方向の縦列状態で相互に密着して組付けた第１球払出装置Ｌ1および第２球払出装置Ｌ2の何れか一方が故障した場合、故障した当該の球払出装置のみを新品に交換し、故障していない他方の球払出装置はそのまま継続使用することができるので、保守・管理費用を低減し得る。
【００３６】
また、第１球払出装置Ｌ1および第２球払出装置Ｌ2を前後方向の縦列状態に相互に密着させて積重ねて組付けるようにすることにより、例えば第１球払出装置Ｌ1に球詰まりが発生した場合は、第２球払出装置Ｌ2の作動時の振動がこの第１球払出装置Ｌ1へ伝わることにより、該装置Ｌ1の球詰まりを好適に解消し得る。一方、第２球払出装置Ｌ2に球詰まりが発生した場合も、第１球払出装置Ｌ1の作動時の振動がこの第２球払出装置Ｌ2へ伝わることにより、該装置Ｌ2の球詰まりを好適に解消し得る。なお、球送出路部２４を半透明な部材で構成すれば、球払出装置Ｌ1,Ｌ2での球詰まりを容易に確認することができる。
【００３７】
更に、第１球払出装置Ｌ1および第２球払出装置Ｌ2を前後方向の縦列状態で相互に密着させて(積重ねて)組付けるようにすることにより、機構セット盤Ｇに設ける設置部３３は、１基の球払出装置分の占有スペースとすることが可能となり、各球皿Ｅ,Ｆに至る球払出経路部の設計やその他各種装置の設置等に係る設計の自由度が高められる。
【００３８】
一方、第１球払出装置Ｌ1および第２球払出装置Ｌ2は、夫々のケース体３５に設けた円筒ボス５６および円形ボス５７と、凹部５８,５９とを正しく整合させるだけで、夫々の球払出装置を同一向きで正確に組付けることができ、位置決めの容易化および正確化を図り得る。しかも、夫々の球払出装置Ｌ1,Ｌ2を同一向きで正確に相互に密着させた際には、夫々のケース体３５に設けた各挿通口５５が整列するので、前記各ビス５３の共通的な挿通が許容される一方、夫々の球払出装置Ｌ1,Ｌ2を非同一向きで相互に密着させてしまった際には、前記各ビス５３の共通的な挿通が不可能となるから、両者Ｌ1,Ｌ2の組付けが正確か否かを即座に確認し得る。
【００３９】
【組付態様の別例】
なお前記実施例では、第１球払出装置Ｌ1と第２球払出装置Ｌ2の組付態様として、第１球払出装置Ｌ1の前壁面３５ｃと第２球払出装置Ｌ2の後壁面３５ｄとを全面的に密着させた前後方向の縦列状態の組付けを例示したが、組付態様はこれに限定されるものではない。すなわち、第１球払出装置Ｌ1のケース体３５に形成された球流入口４４および球流出口４５と、第２球払出装置Ｌ2のケース体３５とが干渉せず、かつ第２球払出装置Ｌ2のケース体３５に形成された球流入口４４および球流出口４５と、第１球払出装置Ｌ1のケース体３５とが干渉しないことを前提とすれば、例えば図７に示すような様々な組付態様を適宜採用し得る。
【００４０】
このうち図７(ａ)は、第１球払出装置Ｌ1の前壁面３５ｃと第２球払出装置Ｌ2の後壁面３５ｄとを部分的に密着させた前後方向の縦列状態の組付態様を例示しており、第１球払出装置Ｌ1に対して第２球払出装置Ｌ2を右方にオフセットした状態で両払出装置Ｌ1,Ｌ2を設置部３３へ設置したものである。また図７(ｂ)は、第１球払出装置Ｌ1の右側壁面３５ｆと第２球払出装置Ｌ2の左側壁面３５ｅとを部分的に密着させた左右方向の横列状態の組付態様を例示しており、第１球払出装置Ｌ1に対して第２球払出装置Ｌ2を右上方にオフセットした状態で両払出装置Ｌ1,Ｌ2を設置部３３へ設置したものである。更に図７(ｃ)は、設置部３３に対して第２球払出装置Ｌ2を前後逆向きに装着することを前提としたもとで、第１球払出装置Ｌ1の上壁面３５ａと第２球払出装置Ｌ2の下壁面３５ｂとを部分的に密着させた上下方向の横列状態の組付態様を例示しており、第１球払出装置Ｌ1に対して第２球払出装置Ｌ2を右上方にオフセットした状態で両払出装置Ｌ1,Ｌ2を設置部３３へ設置したものである。
【００４１】
図７(ａ)〜(ｃ)に図示した各形態では、第１球払出装置Ｌ1および第２球払出装置Ｌ2は、夫々のケース体３５を部分的に相互に密着した状態で機構セット盤の設置部３３に組付けるようになっているので、例えば第１球払出装置Ｌ1の作動時の振動が第２球払出装置Ｌ2に伝わると共に、第２球払出装置Ｌ2の作動時の振動が第１球払出装置Ｌ1に伝わるようになり、各球払出装置Ｌ1,Ｌ2の球詰まりを相互に好適に解消し得る。なお図７(ａ)では、第２球払出装置Ｌ2を設置部３３に先に設置した後に、第１球払出装置Ｌ1の後壁面３５ｄを該第２球払出装置Ｌ2の前壁面３５ｃに部分的に密着するように設置してもよい。そして図７(ｂ)では、第１球払出装置Ｌ1の右下方に第２球払出装置Ｌ2を部分的に密着した状態で設置するようにしてもよいし、また図７(ｃ)では、第１球払出装置Ｌ1の右下方に第２球払出装置Ｌ2を部分的に密着した状態で設置するようにしてもよい。更に図７(ａ)では、第１球払出装置Ｌ1に対して第２球払出装置Ｌ2を上方にオフセットすると共に部分的に密着した状態で両払出装置Ｌ1,Ｌ2を設置部３３へ設置するようにしてもよい。
【００４２】
【変更例】
一方、図８は、変更例に係るパチンコ遊技機における球払出装置の組付構造を示す機構セット盤の要部拡大図であって、この変更例の組付構造では、図９に示す側面組付形態の２基の球払出装置Ｌ1,Ｌ2を使用することを前提としたもとで、夫々の球払出装置Ｌ1,Ｌ2を機構セット盤Ｇの設置部３３に対して左右方向に隣接した横列状態に設置するようにしたものである。これに伴って球貯留排出経路部１４では、前記球送出路部２４に形成した賞球用の第２球送出路２４ｂを途中から屈曲させて直線状の第１球送出路２４ａの左側へ延在させ、第１球送出路２４ａの球送出口２８ａおよび第２球送出路２４ｂの球送出口２８ｂを、機構セット盤Ｇの左右方向へ並列的に開口形成したものである。なお、各球払出装置Ｌ1,Ｌ2の内部構成は図１に示した球払出装置Ｌ1(Ｌ2)と基本的に同一であるから、その詳細な説明は省略すると共に同一部材は同一の符号を付して説明する。
【００４３】
貸球用の第１球払出装置Ｌ1は、前記設置部３３の図示右側へ専用のビス６１を利用して組付けることにより、該装置Ｌ1の球流入口４４が第１球送出路２４ａの球送出口２８ａに整合するようになる。一方、賞球用の第２球払出装置Ｌ2は、前記設置部３３の図示左側へ専用のビス６２を利用して組付けることにより、該装置Ｌ2の球流入口４４が第２球送出路２４ｂの球送出口２８ｂに整合するようになる。このように、夫々の球払出装置Ｌ1,Ｌ2を前記設置部３３に組付けた際には、前記球流入口４４および球流出口４５が開口形成されたケース体３５の上,下壁面３５ａ,３５ｂではない一壁面、すなわち一方のケース体３５における左側壁面３５ｅに他方のケース体３５における右側壁面３５ｆを全面的に相互に密着させた左右方向の横列状態となる。
【００４４】
そして変更例では、例えば第１球払出装置Ｌ1が故障した場合には、ビス６１を弛み外して当該装置Ｌ1のみを設置部３３から取外し、図９に示した同タイプの新品の球払出装置を第１球払出装置Ｌ1として前記設置部３３に仮組付けし、前記ビス６１をねじ込むことで交換作業が終了する。一方、第２球払出装置Ｌ2が故障した場合には、前記ビス６２を弛み外して当該装置Ｌ2のみを設置部３３から取外し、図９に示した同タイプの新品の球払出装置を第２球払出装置Ｌ2として前記設置部３３に仮組付けし、前記ビス６２をねじ込むことで交換作業が終了する。
【００４５】
このように、変更例に係る球払出装置の組付構造においても、左右方向の横列状態に設置された第１球払出装置Ｌ1および第２球払出装置Ｌ2の何れか一方が故障した場合、故障した当該の球払出装置のみを新品に交換し、故障していない他方の球払出装置はそのまま継続使用することができるので、保守・管理費用を低減し得る。また、第１球払出装置Ｌ1および第２球払出装置Ｌ2は、設置部３３に対する占有スペースが小さくなる向き(縦向き)で該設置部３３に組付けるようにしたので、略１基の球払出装置の設置スペースで２基の球払出装置を設置することが可能となり、各球皿Ｅ,Ｆに至る球払出経路部の設計やその他各種装置の設置等に係る設計の自由度が高められる。
【００４６】
更に、第１球払出装置Ｌ1および第２球払出装置Ｌ2を左右方向の横列状態で相互に密着させて組付けるようにすることにより、例えば第１球払出装置Ｌ1に球詰まりが発生した場合は、第２球払出装置Ｌ2の作動時の振動がこの第１球払出装置Ｌ1へ伝わることにより、該装置Ｌ1の球詰まりを好適に解消し得る。一方、第２球払出装置Ｌ2に球詰まりが発生した場合も、第１球払出装置Ｌ1の作動時の振動がこの第２球払出装置Ｌ2へ伝わることにより、該装置Ｌ2の球詰まりを好適に解消し得る。なお、球送出路部２４を半透明な部材で構成すれば、球払出装置Ｌ1,Ｌ2での球詰まりを容易に確認することができる。
【００４７】
更に前記実施例では、機構セット盤Ｇ奥側(前側)の第１球送出路２４ａが貸球用の送出路とされると共に手前側(後側)の第２球送出路２４ｂが賞球用の送出路とされていたので、先ず貸球払出し用の第１球払出装置Ｌ1を設置部３３に設置し、次いで賞球払出し用の第２球払出装置Ｌ2を該第１球払出装置Ｌ1に設置するようになっていた。しかしながら、前側の第１球送出路２４ａが賞球用の送出路とされると共に後側の第２球送出路２４ｂが貸球用の送出路とされる場合では、先ず賞球払出し用の第２球払出装置Ｌ2を設置部３３に設置し、次いで貸球払出し用の第１球払出装置Ｌ1を該第２球払出装置Ｌ2に設置するようになる。一方、前記変更例では、右側の第１球送出路２４ａが貸球用の送出路とされると共に左側の第２球送出路２４ｂが賞球用の送出路とされていたので、設置部３３の右部分に貸球払出し用の第１球払出装置Ｌ1を設置すると共に該設置部３３の左部分に賞球払出し用の第２球払出装置Ｌ2を設置するようになっていた。しかしながら、右側の第１球送出路２４ａが賞球用の送出路とされると共に左側の第２球送出路２４ｂが貸球用の送出路とされる場合では、設置部３３の右部分に賞球払出し用の第２球払出装置Ｌ2を設置すると共に該設置部３３の左部分に貸球払出し用の第１球払出装置Ｌ1を設置するようになる。
【００４８】
【発明の効果】
以上説明した如く、本発明に係るパチンコ遊技機における球払出装置の組付構造によれば、ケース体の外郭形状を同一に構成した貸球払出し用の第１球払出装置および賞球払出し用の第２球払出装置を、夫々のケース体に設けた球流入口および球流出口に他方のケース体が干渉しないように同一向きで前後に相互に密着させ、この状態で機構セット盤の設置部に組付けるようにしたので、一方の球払出装置の作動時の振動が他方の球払出装置に伝わるようになり、相互の球払出装置の球詰まりを好適に解消し得る利点がある。
また、第１球払出装置と第２球払出装置とを、前後方向の縦列状態で機構セット盤に組付けるようにしたから、１基の球払出装置の設置スペースで２基の球払出装置の装着が可能となり、球払出経路部の設計やその他各種装置の設置等に係る設計の自由度が高められる有益な効果を奏する。
なお、第１球払出装置と第２球払出装置とは同一の外郭形状に形成されたケース体で構成されるから部品の共通化が可能であり、製造コストを低廉に抑えることができる。また第１球払出装置と第２球払出装置とは、設置部に対して別々に着脱するようになっているので、例えば一方の球払出装置が故障した場合には、この故障した球払出装置のみを脱着交換すればよく、メンテナンス作業が容易となる利点もある。
【００４９】
また、夫々の球払出装置のケース体に設けた円筒ボスおよび円形ボスと、第１および第２凹部とにより、第１球払出装置および第２球払出装置を正しく整合させるだけで、両球払出装置を同一向きで前後に相互に密着するよう正確に組付け得る。そして、夫々の球払出装置を同一向きで前後に相互に密着させた場合には、夫々のケース体に設けた円筒ボスの各挿通口が整列するので、両球払出装置を設置部に組付けるためのビスの共通的な挿通が許容される一方、夫々の球払出装置を同一向きで相互密着させなかった場合には、前記ビスの共通的な挿通が不可能となるから、両装置の組付けが正確か否かが即座に確認し得る利点もある。
【図面の簡単な説明】
【図１】本発明の好適実施例に係るパチンコ遊技機における球払出装置の組付構造に実施される球払出装置を示す斜視図であって、(ａ)は同タイプの２基の球払出装置を前後方向の縦列状態にセットした状態を示し、(ｂ)は同タイプの２基の球払出装置を前後方向へ組付ける状態を示している。
【図２】図１に示す夫々の球払出装置の内部構造を、一部破断して示す分解斜視図である。
【図３】球貯留排出経路部を構成する球送出路部材を機構セット盤に組付けると共に、該機構セット盤の設置部に２基の球払出装置を前後方向の縦列状態に組付けている斜視図である。
【図４】機構セット盤の球貯留排出経路部の下方に設けた設置部と、該設置部に装着する球払出装置を示す部分拡大図である。
【図５】機構セット盤の設置部に組付けると共に貸球用の貯留球を通出案内する第１球送出路に対応する第１球払出装置と、この第１球払出装置に組付けると共に賞球用の貯留球を通出案内する第２球送出路に対応する第２球払出装置とを、一部破断して示す要部側面図である。
【図６】図５の通常実施状態から、第２球送出路に対応した第２球払出装置のみを取外す場合を、一部破断して示す要部側面図である。
【図７】第１球払出装置と第２球払出装置の組付態様の別例を示す説明図である。
【図８】同タイプの２基の球払出装置を左右方向の横列状態に組付けるようにした変更例に係る球払出装置の組付構造を示す機構セット盤の要部正面図である。
【図９】  (ａ)は、変更例に係る球払出装置の組付構造に実施される球払出装置を示す斜視図、(ｂ)は、(ａ)に示す２基の球払出装置を左右方向の横列状態にセットした状態の斜視図である。
【図１０】本発明に係る球払出装置の組付構造を実施したカード式パチンコ機の正面図である。
【図１１】図１０に示したカード式パチンコ機の背面図である。
【符号の説明】
１４  球貯留排出経路部
２４  球送出部
２４ａ  第１球送出路
２４ｂ  第２球送出路
２５  第１球送出部材
２６  第２球送出部材
２８ａ,２８ｂ  球送出口
３０  球抜路
３１  貯留球通出規制部材
３２  貯留球通出切換部材
３３ａ  嵌合凹部(第１嵌合凹部)
３３ｂ  嵌合凹部(第２嵌合凹部)
３５  ケース体
３５ａ  上壁面
３５ｂ  下壁面
３５ｃ  前壁面
３５ｄ  後壁面
４２  球通路
４４  球流入口
４５  球流出口
４９  電磁ソレノイド
５３  ビス
５５  挿通口
５６  円筒ボス
５７  円形ボス
５８  凹部(第１凹部)
５９  凹部(第２凹部)
６０  ネジ孔
Ｇ  機構セット盤
Ｌ1  第１球払出装置
Ｌ2  第２球払出装置
【図１】
0004051656.tif 000002
【図２】
0004051656.tif 000003
【図３】
0004051656.tif 000004
【図４】
0004051656.tif 000005
【図５】
0004051656.tif 000006
【図６】
0004051656.tif 000007
【図７】
0004051656.tif 000008
【図８】
0004051656.tif 000009
【図９】
0004051656.tif 000010
【図１０】
0004051656.tif 000011
【図１１】
0004051656.tif 000012